(57)【要約】【課題】圧縮型の防振ゴムを使用した天井防振吊り具において、防振ゴムのクリープ変形に伴う天井の過度な垂れ下がり防止する。【解決手段】この天井防振吊り具１は、上層階の床に対して下層階の天井３を防振支持するためのものであって、天井３の荷重を支える圧縮型の防振ゴム３２と、この防振ゴム３２のクリープ変形時に梁取付部材３０と干渉して、防振ゴム３２に代わって天井３の荷重を支えることで、防振ゴム３２のクリープ変形による天井３の垂れ下がりを規制する規制部材３３とを備えている。【選択図】図２
2008297741.tif 000002
【特許請求の範囲】
【請求項１】
上層階の床に対して下層階の天井（３）を防振支持するための天井防振吊り具（１）であって、前記天井（３）の荷重を支える圧縮型の防振ゴム（３２）と、この防振ゴム（３２）のクリープ変形時に吊り具構成部材（３０）又は天井構成部材（６）と干渉して、前記防振ゴム（３２）に代わって前記天井（３）の荷重を支えることで、前記防振ゴム（３２）のクリープ変形による前記天井（３）の垂れ下がりを規制する規制部材（３３）とを備えたことを特徴とする天井防振吊り具。
【請求項２】
前記床側の床梁（２）に取り付ける梁取付部材（３０）と、前記天井（３）側の野縁受け（６）を支持する吊りボルト（３１）とを備え、前記梁取付部材（３０）に対して上方へ張り出すように取り付けた前記防振ゴム（３２）に前記吊りボルト（３１）を貫通させて、前記防振ゴム（３２）を介して前記吊りボルト（３１）を前記梁取付部材（３０）に取り付けるとともに、前記吊りボルト（３１）の前記防振ゴム（３２）よりも上方に突出した上端部に前記規制部材（３３）を設けて、この規制部材（３３）における下向きの突片（７１）（７１）を、その下方に位置する前記梁取付部材（３０）に対して隙間（Ｌ）をあけて配置し、前記防振ゴム（３２）のクリープ変形時に前記突片（７１）（７１）を前記梁取付部材（３０）に干渉させるようにした請求項１記載の天井防振吊り具。
【請求項３】
前記隙間（Ｌ）に、前記防振ゴム（３２）における側方へ張り出した張出部（５１）を配置して、前記規制部材（３３）の突片（７１）（７１）の前記梁取付部材（３０）との干渉時に、これら突片（７１）（７１）と梁取付部材（３０）との間に前記防振ゴム（３２）の張出部（５１）を挟み込ませるようにした請求項２記載の天井防振吊り具。
【請求項４】
前記床側の床梁（２）に取り付ける梁取付部材（３０）と、この梁取付部材（３０）から垂下した吊りボルト（３１）とを備え、前記天井（３）側の野縁受け（６）に対して下方へ張り出すように取り付けた前記防振ゴム（３２）に前記吊りボルト（３１）を貫通させて、前記防振ゴム（３２）を介して前記野縁受け（６）を前記吊りボルト（３１）に取り付けるとともに、前記吊りボルト（３１）の前記防振ゴム（３２）よりも下方に突出した下端部に前記規制部材（３３）を設け、この規制部材（３３）における上向きの突片（７１）（７１）を、その上方に位置する前記野縁受け（６）に対して隙間（Ｌ）をあけて配置して、前記防振ゴム（３２）のクリープ変形時に前記突片（７１）（７１）を前記野縁受け（６）に干渉させるようにした請求項１記載の天井防振吊り具。
【請求項５】
前記隙間（Ｌ）に、前記防振ゴム（３２）における側方へ張り出した張出部（５１）を配置して、前記規制部材（３３）の突片（７１）（７１）の前記野縁受け（６）との干渉時に、これら突片（７１）（７１）と野縁受け（６）との間に前記防振ゴム（３２）の張出部（５１）を挟み込ませるようにした請求項４記載の天井防振吊り具。
【発明の詳細な説明】
【技術分野】
【０００１】
この発明は、上層階の床に対して下層階の天井を防振支持するための天井防振吊り具に関する。
【背景技術】
【０００２】
従来より、住宅等における上層階から下層階への床衝撃音の伝播を低減するための対策の一つとして、防振吊り具を用いて上層階の床に対して下層階の天井を防振支持するといった方法が知られている。
【０００３】
この種の防振吊り具として、例えば特許文献１に開示されているような圧縮型の防振ゴムを使用したものや、例えば特許文献２に開示されているような剪断型の防振ゴムを使用したものがある。いずれの防振吊り具も、床側に取り付ける部材と天井側に取り付ける部材との間に防振ゴムを介在させて、天井重量と防振ゴムとで振動共振を低次の周波数にて発生させることで、振動共振が起こる周波数より高い周波数における振動伝播を遮断するようになっている。
【０００４】
【特許文献１】実開平５−６１３１１号公報
【特許文献２】特開平１１-２４１４４９号公報
【発明の開示】
【発明が解決しようとする課題】
【０００５】
一般に、防振吊り具を低次の周波数にチューニングするためには、防振ゴムのバネ定数を小さくする必要がある。そのため、特に圧縮型の防振ゴムを使用した防振吊り具では、防振性能を良好に維持するために、バネ定数が小さくて柔らかい防振ゴムの高さを高くする必要があるが、この場合、経年劣化に伴う防振ゴムのクリープ変形量が増大して、下層階の天井が大きく垂れ下がるといった問題が懸念される。ところが、このような天井の過度な垂れ下がりに対して、何ら対策が講じられていないのが現状である。
【０００６】
なお、剪断型の防振ゴムを使用した防振吊り具では、例えば特許文献２にも開示されているように、ゴム破断による天井の脱落を防止するための配慮がなされているが、防振ゴムのクリープ変形に伴う下層階の天井の垂れ下がりに対して検討されているものではない。
【０００７】
この発明は、上記の不具合を解消して、圧縮型の防振ゴムを使用した天井防振吊り具において、防振ゴムのクリープ変形に伴う天井の過度な垂れ下がり防止することを目的とする。
【課題を解決するための手段】
【０００８】
上記課題を解決するため、この発明の天井防振吊り具１は、上層階の床に対して下層階の天井３を防振支持するためのものであって、前記天井３の荷重を支える圧縮型の防振ゴム３２と、この防振ゴム３２のクリープ変形時に吊り具構成部材３０又は天井構成部材６と干渉して、前記防振ゴム３２に代わって前記天井３の荷重を支えることで、前記防振ゴム３２のクリープ変形による前記天井３の垂れ下がりを規制する規制部材３３とを備えたことを特徴とする。
【０００９】
具体的には、前記床側の床梁２に取り付ける梁取付部材３０と、前記天井３側の野縁受け６を支持する吊りボルト３１とを備え、前記梁取付部材３０に対して上方へ張り出すように取り付けた前記防振ゴム３２に前記吊りボルト３１を貫通させて、前記防振ゴム３２を介して前記吊りボルト３１を前記梁取付部材３０に取り付けるとともに、前記吊りボルト３１の前記防振ゴム３２よりも上方に突出した上端部に前記規制部材３３を設けて、この規制部材３３における下向きの突片７１、７１を、その下方に位置する前記梁取付部材３０に対して隙間Ｌをあけて配置し、前記防振ゴム３２のクリープ変形時に前記突片７１、７１を前記梁取付部材３０に干渉させるようにしている。
【００１０】
また、前記隙間Ｌに、前記防振ゴム３２における側方へ張り出した張出部５１を配置して、前記規制部材３３の突片７１、７１の前記梁取付部材３０との干渉時に、これら突片７１、７１と梁取付部材３０との間に前記防振ゴム３２の張出部５１を挟み込ませるようにしている。
【００１１】
別の具体例としては、前記床側の床梁２に取り付ける梁取付部材３０と、この梁取付部材３０から垂下した吊りボルト３１とを備え、前記天井３側の野縁受け６に対して下方へ張り出すように取り付けた前記防振ゴム３２に前記吊りボルト３１を貫通させて、前記防振ゴム３２を介して前記野縁受け６を前記吊りボルト３１に取り付けるとともに、前記吊りボルト３１の前記防振ゴム３２よりも下方に突出した下端部に前記規制部材３３を設け、この規制部材３３における上向きの突片７１、７１を、その上方に位置する前記野縁受け６に対して隙間Ｌをあけて配置して、前記防振ゴム３２のクリープ変形時に前記突片７１、７１を前記野縁受け６に干渉させるようにしている。
【００１２】
また、前記隙間Ｌに、前記防振ゴム３２における側方へ張り出した張出部５１を配置して、前記規制部材３３の突片７１、７１の前記野縁受け６との干渉時に、これら突片７１、７１と野縁受け６との間に前記防振ゴム３２の張出部５１を挟み込ませるようにしている。
【発明の効果】
【００１３】
この発明の天井防振吊り具を用いることで、上層階の床から下層階の天井への床衝撃音の伝播を効果的に低減するために、バネ定数が小さくて高さのある圧縮型の防振ゴムを使用しても、この防振ゴムのクリープ変形時に、規制部材が梁取付部材等の吊り具構成部材や野縁受け等の天井構成部材と干渉して、へたりが進行する防振ゴムに代わって規制部材が天井の荷重を支えるので、天井の過度の垂れ下がりを防止することができる。
【００１４】
しかも、防振ゴムを梁取付部材に対して上方若しく野縁受けに対して下方へ張り出すように取り付けることで、床梁と天井下地材との間のスペースが狭い場合でも、このスペースに関係なく防振ゴムを確実に組み込むことができ、施工性の向上を図ることができる。
【００１５】
また、規制部材が梁取付部材や野縁受けと干渉するときに、これらの間に防振ゴムの一部である張出部を挟み込ませるようにしているので、干渉時の衝突音等の発生を抑制することができ、しかも干渉前と比べれば劣るものの、防振性能もある程度は発揮させることができる。
【発明を実施するための最良の形態】
【００１６】
(第１実施形態)
この発明の第１実施形態に係る天井防振吊り具１は、図１に示すように、上層階の床側のＨ形鋼からなる床梁２に対して、下層階の天井３を防振支持するものある。
【００１７】
天井３は、天井下地材４に天井板５を取り付けることによって構成されている。天井下地材４は、互いに平行に配された複数の野縁受け６・・と、これら野縁受け６・・に対して直交するようにして互いに平行に配された野縁７・・とを、格子状に組み付けてなる。各野縁受け６は、開放部分を側方へ向けるように配置した溝形鋼からなり、上下一対のフランジ１０、１１と、それらフランジ１０、１１の長手方向に沿った一端部同士を連結するウエブ１２とを備えている。各野縁７は、断面略ロ字状の鋼製筒材からなり、その側面片２０、２０には長手方向に沿って横溝２１、２１が夫々形成されている。そして、図２及び図３に示すように、野縁受け６・・の下フランジ１１・・に係合したクリップ２２・・を、野縁７・・に上方から被せて、それらクリップ２２・・の係止爪２３、２３を野縁７・・の横溝２１、２１に係止させることで、野縁受け６・・に対して野縁７・・が取り付けられている。この天井下地材４における野縁７・・の下面間に跨って、天井板５がビス止めされている。
【００１８】
天井防振吊り具１は、図２及び図３に示すように、床梁２に取り付ける梁取付部材３０と、野縁受け６を支持する吊りボルト３１と、これら梁取付部材３０と吊りボルト３１との間に介在されて、天井３の荷重を支える圧縮型の防振ゴム３２と、この防振ゴム３２のクリープ変形時に防振ゴム３２に代わって天井３の荷重を支えることで、防振ゴム３２のクリープ変形による天井３の垂れ下がりを規制する規制部材３３とを備えている。
【００１９】
梁取付部材３０は、鋼板を折曲形成してなり、床梁２に係合する梁係合部４０と、防振ゴム３２を装着するゴム装着部４１とを備えている。梁係合部４０は、略水平に配された上面片４２と、この上面片４２の相対する端部から垂下して互いに平行に配された一対の側面片４３、４３とによって、開放部分が下向きとなったコ字状に形成されている。そして、側面片４３、４３には、嵌合溝４４、４４が横方向にそれぞれ形成されており、これら嵌合溝４４、４４に床梁２の下フランジ２ａを嵌め込むようにして、梁係合部４０が床梁２に係合するようになっている。ゴム装着部４１は、梁係合部４０の上面片４２を床梁２から離間する方向に略水平に延出してなり、その略中央には、防振ゴム３２を取り付けるための取付孔４５が形成されている。
【００２０】
防振ゴム３２は、図４に示すように、略円錐台状に形成されており、その略中央部にはボルト挿通孔５０が上下方向に貫通して形成されている。また、この防振ゴム３２の側面下部には、側方へ張り出した薄肉円環状の張出部５１が形成されている。さらに、防振ゴム３２の下面中央には、ボルト挿通孔５０を囲むようにして、円環状の係止部５２が形成されている。そして、この防振ゴム３２の係止部５２をゴム装着部４１の取付孔４５に上方から嵌め込んで、係止部５２をゴム装着部４１に係合させることで、防振ゴム３２が梁取付部材３０に対して上方へ張り出すように取り付けられている。
【００２１】
吊りボルト３１は、その上端部にボルト頭６０及び座金６１が設けられ、その下端部に螺子部６２が形成されている。なお、吊りボルト３１の上端部には、ボルト頭６０を設ける代わりにナットを螺合しても良い。そして、この吊りボルト３１は、防振ゴム３２のボルト挿通孔５０に上方から挿入されて、そのボルト頭６０及び座金６１が防振ゴム３２に引っ掛かることで、防振ゴム３２を上下方向に貫通した状態で、防振ゴム３２を介して梁取付部材３０に取り付けられている。また、このようにして梁取付部材３０から垂下した吊りボルト３１の螺子部６２が、野縁受け６の上フランジ１０を貫通して、この上フランジ１０を挟むようして螺子部６２に螺合したナット６３、６３を締め付けることで、吊りボルト３１の下端部に野縁受け６が取り付けられている。
【００２２】
規制部材３３は、図３及び図４に示すように、鋼板を折曲形成してなり、略水平に配された取付片７０と、この取付片７０の相対する端部から垂下して互いに平行に配された一対の突片７１、７１とによって、開放部分が下向きとなったコ字状に形成されている。そして、取付片７０の略中央にはボルト貫通孔７２が形成されており、このボルト貫通孔７２に吊りボルト３１を貫通させるようにして、規制部材３３が、防振ゴム３２よりも上方に突出した吊りボルト３１の上端部に一体的に取り付けられている。
【００２３】
この規制部材３３の取付片７０は、防振ゴム３２の上面に当接されており、規制部材３３の下向きの突片７１、７１が、防振ゴム３２を囲むようにして、その下方に位置する梁取付部材３０のゴム装着部４１に対して隙間Ｌをあけて配置されている。この隙間Ｌには、防振ゴム３２の張出部５１が配置されている。
【００２４】
上記構成の天井防振吊り具１では、圧縮型の防振ゴム３２としてバネ定数の小さいものが使用されて、低次の周波数にチューニングされている。上層階の床に対して子供が飛び跳ねたときのような床衝撃音を伴う衝撃力が加わると、その衝撃力によって圧縮型の防振ゴム３２が上下方向に伸縮するが、このときの防振ゴム３２の圧縮量よりも、規制部材３３の突片７１、７１と梁取付部材３０のゴム装着部４１との隙間Ｌの方が大きくなるように設定されているので、突片７１、７１が張出部５１を介して梁取付部材３０のゴム装着部４１に干渉することはなく、防振性能を良好に発揮して、上層階の床から下層階の天井３への床衝撃音の伝播を効果的に低減することができる。
【００２５】
長期に亘って天井３の荷重を支えていた防振ゴム３２が経年劣化によってクリープ変形を起こし始めると、規制部材３３及び吊りボルト３１が徐々に下降して、吊りボルト３１よって吊り下げられている天井３が次第に垂れ下がるが、防振ゴム３２が完全にへたりきったときの圧縮量よりも、隙間Ｌの方が小さくなるように設定されているので、防振ゴム３２がへたりきってしまう前に、図５に示すように、規制部材３３の突片７１、７１が防振ゴム３２の張出部５１を介して梁取付部材３０のゴム装着部４１に干渉するようになっている。従って、この干渉後は、吊りボルト３１が下降しようとしても、剛性を有する規制部材３３が突っ張って下降することができず、規制部材３３が防振ゴム３２に代わって天井３の荷重を支えて、天井３の一定限度以上すなわち隙間Ｌ以上の垂れ下がりを防止することができる。
【００２６】
しかも、この干渉時においては、突片７１、７１とゴム装着部４１との間に防振ゴム３２の張出部５１が挟まれた状態となるので、突片７１、７１とゴム装着部４１とが直接接触することがなく、衝突音等の発生を抑制することができ、しかも干渉前と比べれば劣るものの、防振性能もある程度は発揮させることができる。なお、突片７１、７１とゴム装着部４１との間の隙間Ｌに、防振ゴム３２の張出部５１の代わりに、突片７１、７１の下端部若しくはゴム装着部４１の上面に取り付けたゴム等の緩衝材を配置しても良い。
【００２７】
さらに、防振ゴム３２を梁取付部材３０に対して上方へ張り出すように取り付けているので、床梁２と天井下地材４との間のスペースが狭い場合でも、このスペースに関係なく防振ゴム３２を確実に組み込むことができる。
【００２８】
なお、上記の天井防振吊り具１を用いて天井３を吊り下げ支持する際に、天井３の荷重による防振ゴム３２の圧縮分と防振ゴム３２のクリープ変形に伴う隙間Ｌ分の下がりを見越して、これら圧縮分及び隙間Ｌ分を含めたむくりをつけて予め天井３を上げ気味に施工しておけば、防振ゴム３２がクリープ変形を起こしても、天井３を規定の高さレベルにおいて略水平に維持することができる。
【００２９】
(第２実施形態)
上記の第１実施形態においては、防振ゴム３２を梁取付部材３０に対して上方へ張り出すように取り付けていたが、この第２実施形態においては、図６に示すように、上下逆向きにした防振ゴム３２が、野縁受け６に対して下方へ張り出すように取り付けられている。この防振ゴム３２の取り付けに際しては、防振ゴム３２の係止部５２を、野縁受け６の下フランジ１１に形成した取付孔８０に下方から嵌め込んで、係止部５２を下フランジ１１に係合させている。
【００３０】
そして、野縁受け６の上下フランジ１０、１１を貫通した吊りボルト３１が、防振ゴム３２のボルト挿通孔５０に上方から挿入されて、防振ゴム３２よりも下方に突出した吊りボルト３１の螺子部６２に座金８１を介してナット８２が螺合されている。これにより、防振ゴム３２を上下方向に貫通した吊りボルト３１の下端部のナット８２及び座金８１が抜け止めとなって、防振ゴム３２を介して野縁受け６が吊りボルト３１に取り付けられている。
【００３１】
さらに、第１実施形態とは上下逆向きにした規制部材３３が、その取付片７０のボルト貫通孔７２に吊りボルト３１を貫通させるようにして、防振ゴム３２よりも下方に突出した吊りボルト３１の下端部に一体的に取り付けられている。
【００３２】
この規制部材３３の取付片７０は、防振ゴム３２の下面に当接されており、規制部材３３の上向きの突片７１、７１が、防振ゴム３２を囲むようにして、その上方に位置する野縁受け６の下フランジ１１に対して隙間Ｌをあけて配置されている。この隙間Ｌには、防振ゴム３２の張出部５１が配置されている。
【００３３】
上記構成の天井防振吊り具１では、第１実施形態のときと同様に、上層階の床から下層階の天井３への床衝撃音の伝播を効果的に低減することができる。そして、長期に亘って天井３の荷重を支えていた防振ゴム３２が経年劣化によってクリープ変形を起こし始めると、吊りボルト３１よって吊り下げられている野縁受け６が下降して、天井３が次第に垂れ下がるが、防振ゴム３２がへたりきってしまう前に、規制部材３３の突片７１、７１が防振ゴム３２の張出部５１を介して野縁受け６の下フランジ１１に干渉するようになっている。従って、この干渉後は、野縁受け６が下降しようとしても、剛性を有する規制部材３３が突っ張って下降することができず、規制部材３３が防振ゴム３２に代わって天井３の荷重を支えて、天井３の一定限度以上すなわち隙間Ｌ以上の垂れ下がりを防止することができるようになっている。
【００３４】
しかも、この干渉時においては、突片７１、７１と下フランジ１１との間に防振ゴム３２の張出部５１が挟まれた状態となるので、突片７１、７１と下フランジ１１とが直接接触することがなく、衝突音等の発生を抑制することができ、しかも干渉前と比べれば劣るものの、防振性能もある程度は発揮させることができる。さらに、防振ゴム３２を野縁受け６に対して下方へ張り出すように取り付けているので、床梁２と天井下地材４との間のスペースが狭い場合でも、このスペースに関係なく防振ゴム３２を確実に組み込むことができる。なお、その他の構成及び作用効果は、上記第１実施形態と同様であり、第１実施形態と同様の機能を有する部材については同符号を付してある。
【００３５】
この発明は、上記実施形態に限定されるものではなく、この発明の範囲内で上記実施形態に多くの修正及び変更を加え得ることは勿論である。例えば、この発明の天井防振吊り具は、鉄骨系住宅の天井の防振支持に適用するだけでなく、木造住宅の天井の防振支持に適用しても良い。また、上記実施形態においては、防振ゴムを梁取付部材に対して上方若しく野縁受けに対して下方へ張り出すように取り付けていたが、例えば床梁と天井下地材との間のスペースが広い場合には、吊りボルトの中間部分に防振ゴムを組み込んで、この防振ゴムに対して規制部材を設けるようにしても良い。
【図面の簡単な説明】
【００３６】
【図１】この発明の第１実施形態に係る天井防振吊り具を使用した天井の防振支持状態を示す斜視図である。
【図２】同じくその正面断面図である。
【図３】同じくその側面断面図である。
【図４】天井防振吊り具の防振ゴム付近の正面断面図である。
【図５】クリープ変形発生時の状態を示す天井防振吊り具の防振ゴム付近の正面断面図である。
【図６】この発明の第２実施形態に係る天井防振吊り具の防振ゴム付近の側面断面図である。
【符号の説明】
【００３７】
１・・天井防振吊り具、２・・床梁、３・・天井、６・・野縁受け(天井構成部材)、３０・・梁取付部材(吊り具構成部材)、３１・・吊りボルト、３２・・防振ゴム、３３・・規制部材、５１・・張出部、７１・・突片、Ｌ・・隙間
【図１】
2008297741.tif 000003
【図２】
2008297741.tif 000004
【図３】
2008297741.tif 000005
【図４】
2008297741.tif 000006
【図５】
2008297741.tif 000007
【図６】
2008297741.tif 000008